(57)【要約】【課題】ファンを備えた充電器であっても、設置面積を抑制可能とすること。【解決手段】開口が設けられているハウジングと、基板３と、ファン４と、ファン４を保持するファン保持部材５と、を備える充電器１であって、ハウジング内において、ファン４が基板３より上方に位置しており、前記ファン保持部材５の少なくとも一部がファン４と基板３の間に位置している充電器とする。【選択図】図５
2015162930.tif 000002
【特許請求の範囲】
【請求項１】
開口が設けられているハウジングと、基板と、ファンと、ファンを保持するファン保持部材と、を備える充電器であって、
ハウジング内において、ファンが基板より上方に位置しており、前記ファン保持部材の少なくとも一部がファンと基板の間に位置している充電器。
【請求項２】
請求項１に記載の充電器であって、前記開口の少なくとも一部から侵入しうる水が基板上に垂れ落ちることを回避させ、かつ、当該水を基板よりも下方に移動させることが可能となる誘導路を前記ファン保持部材に備えている充電器。
【請求項３】
請求項１又は２に記載の充電器であって、前記ハウジングの底部から立ち上がる仕切り壁を用いてハウジングの下部が区画されており、
前記ファン保持部材に備えた誘導路により、前記開口の少なくとも一部から侵入する水をハウジング外に排出可能な穴を有する区画に誘導することが可能である充電器。
【請求項４】
請求項１乃至３の何れか１項に記載の充電器であって、前記ファン保持部材には、その一部がハウジング外部に位置することが可能な端子保持部材が支持されており、ハウジングに設けられた開口のうち、端子保持部材が挿入される端子用開口、若しくは、ハウジング内の空気をハウジング外に移動させるために使用される送風開口の少なくとも何れかから侵入する水を、ハウジング内に空気を吸気するために使用される穴の少なくとも一部より排出可能である充電器。
【請求項５】
請求項３に記載の充電器であって、前記誘導路の下端が前記ハウジングの底部から立ち上がる仕切り壁の上端よりも下側に位置する充電器。
【請求項６】
請求項２乃至５の何れか１項に記載の充電器であって、前記開口の少なくとも一部から侵入しうる水を排出可能な穴の少なくとも一部がハウジングの底部に設けられている充電器。
【発明の詳細な説明】
【技術分野】
【０００１】
この発明は、ハウジング内にファンを備えた充電器に関する。特に開口が設けられたハウジング内にファンを備えた充電器に関する。
【背景技術】
【０００２】
従来から広く知られているように、充電するとバッテリは発熱する。また、使用するだけでもバッテリは発熱する。充電する場合、バッテリが熱を持っていると充電効率を高めにくいため、充電時にはバッテリを冷却することが望ましい。そこで、充電時にバッテリを冷却することを可能とするために、充電器のハウジング内にファンを備えることが考えられている（特許文献１参照）。特許文献１に記載されたファンはハウジングの側部に設けられた吸気口より吸気した空気をハウジングの上部に設けられた取付部に導くことでバッテリに向けて送風することを可能としたものである。このようなファンを設けると効率的に充電することが可能になるのではあるが、ファンの周囲に設ける開口部から水が浸入するなど、ファンの周囲に様々なものをもたらす恐れがある。一方、基板には電子部品が備えられているため、極力ハウジング外のものを近づけたくないとの考え方がある。そのため、電気回路を備えた基板とファンとは水平方向に離して配置するのが通常である。
【先行技術文献】
【特許文献】
【０００３】
【特許文献１】特開２０１３−１９２２８２号公報
【発明の概要】
【発明が解決しようとする課題】
【０００４】
しかしながら、基板とファンを水平方向に離間させて配置すると、その分、水平方向に大きくなる。そのため、充電器の設置面積が比較的大きくならざるを得ないものであったが、設置面積が大きいことは使用者にとって望ましいことではなかった。
【０００５】
本発明は、係る観点からなされたもので、ファンを備えた充電器であっても、設置面積を抑制可能とすることを目的とする。
【課題を解決するための手段】
【０００６】
このため、本発明は、以下に記す構成の充電器とした。先ず、第１の発明は、開口が設けられているハウジングと、基板と、ファンと、ファンを保持するファン保持部材と、を備える充電器であって、ハウジング内において、ファンが基板より上方に位置しており、前記ファン保持部材の少なくとも一部がファンと基板の間に位置している充電器である。
【０００７】
第１の発明であれば、ファンが基板より上方に位置しており、前記ファン保持部材の少なくとも一部がファンと基板の間に位置しているため、ファンを基板よりも上方に配置することで設置面積を抑制することが可能である。また、基板とファンとの間にファン保持部材の少なくとも一部が位置しているため、基板とファンが直接接触することを抑制しながら、適切にファンを保持することが可能となり得る。
【０００８】
第２の発明は、第１の発明であって、前記開口の少なくとも一部から侵入しうる水が基板上に垂れ落ちることを回避させ、かつ、当該水を基板よりも下方に移動させることが可能となる誘導路を前記ファン保持部材に備えている充電器である。
【０００９】
第２の発明であれば、水を基板よりも下方に移動させることが可能な誘導路を備えるため、基板よりも上方に設けられた開口からハウジング内に浸入した水が基板上に垂れ落ちることを抑制可能である。また、当該誘導路をファン保持部材に備える構成としていることから部品点数を抑制することが可能である。
【００１０】
第３の発明は、第１又は第２の発明であって、前記ハウジングの底部から立ち上がる仕切り壁を用いてハウジングの下部が区画されており、前記ファン保持部材に備えた誘導路により、前記開口の少なくとも一部から侵入する水をハウジング外に排出可能な穴を有する区画に誘導することが可能である充電器である。
【００１１】
第３の発明であれば、前記開口の少なくとも一部から侵入する水をハウジング外に排出可能な穴を有する区画に誘導することが可能な誘導路を前記ファン保持部材に備えているため、浸入した水をハウジング外に排出しやすくなり、ハウジング内に水がたまることを抑制することが可能となる。
【００１２】
第４の発明は、第１乃至３の何れか一つの発明であって、前記ファン保持部材には、その一部がハウジング外部に位置することが可能な端子保持部材が支持されており、ハウジングに設けられた開口のうち、端子保持部材が挿入される端子用開口、若しくは、ハウジング内の空気をハウジング外に移動させるために使用される送風開口の少なくとも何れかから侵入する水を、ハウジング内に空気を吸気するために使用される穴の少なくとも一部より排出可能である充電器である。
【００１３】
第４の発明であれば、ファン保持部材は端子保持部材を支持するために利用されるものでもあるため、部品点数の増加を抑制することが可能となる。また、ハウジング内に水を侵入させやすい開口となり得る端子用開口若しくは送風開口の少なくとも何れかから侵入する水がハウジング内に空気を吸気するために使用される穴の少なくとも一部より排出可能であるため、吸気用の穴と排水用の穴を分けて設ける場合に比較し、穴の数を低減することが可能となる。
【００１４】
第５の発明は、第３の発明であって、前記誘導路の下端が前記ハウジングの底部から立ち上がる仕切り壁の上端よりも下側に位置する充電器である。
【００１５】
第５の発明であれば、誘導路と仕切り壁がオーバーラップする構成となるため、所望の区画に水を誘導することを、より適切に行うことが可能となる。
【００１６】
第６の発明は、第２乃至５の何れか一つの発明であって、前記開口の少なくとも一部から侵入しうる水を排出可能な穴の少なくとも一部がハウジングの底部に設けられている充電器である。
【００１７】
第６の発明であれば、水を排出可能な穴の少なくとも一部がハウジングの底部に設けられているため、ハウジング内に水が残留することを抑制することが可能となる。
【発明の効果】
【００１８】
本発明を利用すれば、ファンを備えた充電器において、設置面積を抑制することが可能となる。
【図面の簡単な説明】
【００１９】
【図１】実施の形態の充電器の全体斜視図である。
【図２】上側ハウジング部を取り外した状態の充電器の斜視図である。
【図３】上側ハウジング部を取り外した状態の充電器の平面図である。
【図４】図１のＩＶ−ＩＶ断面図である。
【図５】図１のＶ−Ｖ断面を示した断面斜視図である。
【図６】図１のＶＩ−ＶＩ断面図である。
【図７】図１のＶＩＩ−ＶＩＩ断面を示した断面斜視図である。
【図８】ファン保持部材を上方から見た斜視図である。
【図９】ファン保持部材を下方から見た斜視図である。
【図１０】バッテリの斜視図である。
【発明を実施するための形態】
【００２０】
以下に、本発明を実施するための形態について、適宜図面を用いて説明するが、始めに、本実施の形態の充電器１の概要について説明する。なお、本明細書等における上下方向などの方向は図１などに示す方向を意味している。本実施の形態の充電器１は、主として電動工具などに使用されるバッテリＢを充電するために使用される充電器１である。この充電器１はハウジング２内に基板３とファン４を備えるものであり、ファン４を保持するためにファン保持部材５を備えるものである（図２、３参照）。ハウジング２の外側にはバッテリＢ（図１０参照）と接続可能な充電用の接続端子６２が位置するように突出しており、当該接続端子６２をバッテリＢに備えられている端子Ｂａと接触させることで通電可能となるように構成されている。ハウジング２内に水平方向に延びるように配置された基板３には多数の電子部品が取り付けられており、充電器１に備えられたプラグ（図示せず）から導入された電気を利用してバッテリＢに充電可能なように電気回路が構成されている。ファン保持部材５は当該基板３の上方にファン４を配置するために使用されるものであり、ファン保持部材５の少なくとも一部がファン４と基板３との間に位置するものである（図４、５参照）。当該充電器１はその上面側に沿うように移動させることで、充電器１のハウジング２の外側にバッテリＢを装着することができるように構成されている。バッテリＢを充電器１に装着すると図１、４及び６に二点鎖線で示すように位置することになる。当該装着形態においては、充電器１の接続端子６２とバッテリＢの端子Ｂａが接した状態が保持されるものである。なお、本実施の形態の充電器１においてはバッテリＢを二つ装着することが可能となるように構成している。
【００２１】
ハウジング２にバッテリＢが装着された状態において、ファン４によりもたらされる気流がバッテリＢを冷却することができるものとするために、ハウジング２に送風開口２１１ａを設けている。当該送風開口２１１ａは、ハウジング２内に位置する気体がハウジング２外に移動する際に、主たる通気路となる開口である。送風開口２１１ａから排出される気体によりバッテリＢを冷却するため、送風開口２１１ａはハウジング２内からハウジング２外に移動した気体がバッテリＢに衝突可能となる位置に設けられている。本実施の形態における送風開口２１１ａは、ハウジング２の上面側を形成する覆い部２１１に設けられており、ファン４によりもたらされる気流が下側から上側に流れることによりバッテリＢを冷却可能にしているものである。
【００２２】
次に充電器１のハウジング２について、説明する。本実施の形態のハウジング２は上下に分離可能なものであり、ハウジング２の下側を構成する下側ハウジング部２２と、ハウジング２の上側を構成する上側ハウジング部２１を備えるものである。下側ハウジング部２２は略水平方向に延びる底部２２１と、底部２２１の縁から上方に向けて立ち上がるように形成される下側壁部２２２を備えることにより、有底筒状に構成されている。また、上側ハウジング部２１は下側ハウジング部２２と重ねることで、中空の容器形状とすることができるように構成されている。そのため、上側ハウジング部２１は下側壁部２２２の上端と接続することが可能な筒形状の上側壁部２１２を備えており、上側壁部２１２の上側には、上底を形成することが可能な覆い部２１１を備えている。なお、下側壁部２２２と上側壁部２１２とを組み合わせたものがハウジング２の側壁である。
【００２３】
覆い部２１１には、接続端子６２を備える端子保持部材６の一部が通過可能なように端子用開口２１１ｂを備えている。そのため、ファン保持部材５などを介して端子保持部材６を支えている下側ハウジング部２２に上側ハウジング部２１を重ね合わせた際に、端子保持部材６の一部がハウジング２外に位置することが可能となっている。当該端子用開口２１１ｂに隣接して送風開口２１１ａが設けられており、充電器１にバッテリＢを装着した際に送風開口２１１ａからの気流が冷却風導入口Ｂｄを通じてバッテリＢ内に進入するとともに、冷却風排出口Ｂｅを通じてバッテリＢから排出可能となるように構成されている。
【００２４】
覆い部２１１には、バッテリＢを装着する際にバッテリＢのスライド方向をガイドする突条のレール部２１１ｃと、凹状に形成された係合溝２１１ｄを備えている。バッテリＢに設けられたスライドレールＢｃはレール部２１１ｃと摺動可能となっており、摺動方向と直交する方向に移動可能な係合爪Ｂｂと、係合溝２１１ｄが係合することにより、バッテリＢのスライド移動が規制可能となるように構成されている。係合溝２１１ｄは送風開口２１１ａの周囲三方に沿うように位置しており、係合爪Ｂｂが係合溝２１１ｄに係合した状態においては、送風開口２１１ａから排出された気流がバッテリＢの内部以外に流れにくいように構成されている。
【００２５】
覆い部２１１に設けられた送風開口２１１ａの真下には、バッテリＢを冷却するために設けられたファン４が配置されている。本実施の形態のファン４は内周面が略円柱状であり、上下に弧形状が位置するように配置されている。またファン４の上部にはファン排気口４１が設けられており、側部にファン吸気口４２が設けられている。ファン排気口４１はハウジング２の送風開口２１１ａと隣接した状態で対向しており、ファン４から排気された気体の多くは送風開口２１１ａからハウジング２の外に排出可能に配置されている。
【００２６】
バッテリＢを冷却するために使用されるファン４はファン保持部材５により支持されている。当該ファン保持部材５はファン４を基板３よりも上方に配置することを可能とするために設けられるものであり、ファン４と基板３との間にその一部が位置しているものである。本実施の形態のファン保持部材５はファン４を下から支えることが可能なように構成されており、下側ハウジング部２２に対して固定されている。また、ファン保持部材５は、その上側に滴下された水などを上方から下方に向けて流すことでファン保持部材５とは別の所定箇所に導くことが可能な誘導路５９を備えている。
【００２７】
ファン保持部材５は、送風開口２１１ａや端子用開口２１１ｂを下から覆うように、その真下に配置されており、送風開口２１１ａや端子用開口２１１ｂから浸入する水などを一時的に受けることができるように構成されている。ファン保持部材５に設けられた誘導路５９は水が流れる方向を定めることが可能な傾斜面５１１などを備えることにより排出部位５３に向けて水を集めるとともに、排出部位５３にまで流し込まれた水はハウジング２の所定位置に向けて垂れ落ちることが可能となっている。
【００２８】
ファン保持部材５は複数の傾斜面５１１と当該傾斜面５１１を接続することとなる接続面５１２を備えるように底面５１が形成されており、当該底面５１の縁から立ち上がるように越流防止壁５２が設けられている。当該越流防止壁５２の一部が部分的に欠損しているような構造とすることで排出部位５３を設けているものであり、欠損している部位の下端付近から水が垂れ落ちることが可能な構成である。言い換えると、越流防止壁５２が設けられていない部分付近から水が垂れ落ちることが可能な構成である。特に、底面５１のうち最も低い位置とその付近に越流防止壁５２が設けられていない構成であるため、ファン保持部材５の底面５１の中でも最も低い部分から水が垂れ落ちることを可能としている。なお、越流防止壁５２が設けられていない部分はファン吸気口４２と対向する位置にもなっており、ファン保持部材５の越流防止壁５２がファン４の吸気を妨げることを抑制している。
【００２９】
ファン保持部材５は、ハウジング２の側壁に隣接して配置されている。さらには、越流防止壁５２の上端が覆い部２１１に隣接する位置まで延びており、ファン保持部材５の不連続面がハウジング２の側壁に隣接した状態となるように配置されている。そのため、ファン４によりもたらされる気流は主にファン保持部材５の越流防止壁５２とハウジング２の側壁とで概略区画される領域を通過するものとなる。したがって、ハウジング２の基板３付近の温まった空気がバッテリに流れ込み、バッテリを加熱することを抑制可能である。
【００３０】
ファン保持部材５によりファン４を支持可能とするために、ファン４を下から支えるために用いられる支持脚部位５５がファン保持部材５の底面５１から隆起するように設けられている。当該支持脚部位５５は離間するように複数設けられており、各々の支持脚部位５５の間を水が通過できるように構成している（図８参照）。
【００３１】
ファン保持部材５の排出部位５３より垂れ落ちた水は下側ハウジング部２２の所定領域に集められる。下側ハウジング部２２には底部２２１から突出するように屈曲板状の仕切り壁２２４が設けられている。当該仕切り壁２２４は二つの端部が下側壁部２２２と接続されており、仕切り壁２２４の一方側に導入された水は当該仕切り壁２２４を乗り越えないと仕切り壁２２４の他方側に移動できないものとなっている。つまり、下側ハウジング部２２は仕切り壁２２４により領域が分けられるように区画されている。
【００３２】
本実施の形態の仕切り壁２２４は下側ハウジング部２２の底部２２１を二つに区画するものとしており、仕切り壁２２４の上端は、ファン４より下方に位置する基板３の高さよりも高くなるように構成されている。仕切り壁２２４により区画された一つの領域には基板３が配置されており、もう一つの領域には底部２２１から下側壁部２２２にまたがるようにスリット状の穴２２３が複数設けられている。当該穴２２３はハウジング２の下部に設けられたものであり、ハウジング２内に吸気するために使用されるとともに、ファン保持部材５により誘導された水をハウジング２の外に排出するために使用されることが可能なものである。なお、ハウジング２には脚２２８が四つ設けられており、底部２２１が床に接触しない構成となっている。したがって、穴２２３に到達した水を効率よくハウジング２の外に排出することが可能となっている。また、充電器を設置している床にある埃を吸引することを抑制できる。
【００３３】
ファン保持部材５の下部と仕切り壁２２４の一部は隣接した状態でオーバーラップしており、ファン保持部材５により下方に誘導された水が、穴２２３が無い側に移動することが抑制されている。より詳しくは、ファン保持部材５の底面５１に接続され上下方向に延びる垂下部５４を備えた構造としており（図８、９参照）、仕切り壁２２４で仕切られた領域のうち穴２２３が設けられている側に垂下部５４が位置する状態で上下方向にオーバーラップした構成としている（図４、５、６、７参照）。また、垂下部５４の真下には穴２２３が位置するように配置されている（図４、６参照）。当該構成を採用することにより、水は図６及び図７に矢印で示すようにハウジング２の内部を通過することができるようになる。したがって、ハウジング２に侵入した水を適切に穴２２３まで到達させること、ついてはハウジング２の外部に排出することが可能となっている。
【００３４】
ファン保持部材５はその一部が仕切り壁２２４に載せられた状態であり、ファン保持部材５の他の箇所において、下側ハウジング部２２より上方に延びた第一の脚部２２５に対して嵌めあわされている。また、下側ハウジング部２２より基板３を貫通するように上方に延びた第二の脚部２２６に対して螺子で固定されている。つまり、ファン保持部材５は下側ハウジング部２２に接続固定されている。
【００３５】
ファン保持部材５は、接続端子６２を備える端子保持部材６を支持するものでもある。端子保持部材６とファン保持部材５との間にはバネ７２を介在させており、端子保持部材６は上下移動が可能となるようにファン保持部材５に支持されている。端子保持部材６が上下移動可能となることにより、製品毎の寸法誤差を吸収することが可能となりうるため、バッテリＢを装着する際に発生しうる不具合を抑制することが可能となる。
【００３６】
本実施の形態の充電器１は、開口が設けられているハウジング２と、基板３と、ファン４と、ファン４を保持するファン保持部材５と、を備える充電器１であって、ハウジング２内において、ファン４が基板３より上方に位置しており、前記ファン保持部材５の少なくとも一部がファン４と基板３の間に位置しているものである。そのため、充電器１の設置面積を抑制することが可能である。また、基板３とファン４との間にファン保持部材５の少なくとも一部が位置しているため、基板３とファン４が直接接触することを抑制しながら、適切にファン４を保持することが可能となり得る。
【００３７】
また、本実施の形態の充電器１は、開口の少なくとも一部から侵入しうる水が基板３の上に垂れ落ちることを回避させ、かつ、当該水を基板３よりも下方に移動させることが可能となる誘導路５９を前記ファン保持部材５に備えている充電器１である。そのため、基板３よりも上方に設けられた開口からハウジング２内に浸入した水が基板３上に垂れ落ちることを抑制可能である。また、当該誘導路５９をファン保持部材５に備える構成としていることから部品点数を抑制することが可能である。
【００３８】
また、本実施の形態の充電器１は、前記ハウジング２の底部２２１から立ち上がる仕切り壁２２４及びハウジング２の側壁によりハウジング２の下部が区画されており、前記開口の少なくとも一部から侵入する水をハウジング２外に排出可能な排出口を有する区画に誘導することが可能な誘導路５９を前記ファン保持部材５に備えている充電器１である。そのため、浸入した水をハウジング２外に排出しやすくなり、ハウジング２内に水がたまることを抑制することが可能となる。
【００３９】
また、本実施の形態の充電器１は、ファン保持部材５には、その一部がハウジング２の外部に位置することが可能な端子保持部材６が支持されており、ハウジング２に設けられた開口のうち、端子保持部材６が挿入される端子用開口２１１ｂ、若しくは、ハウジング２内の空気をハウジング２外に移動させるために使用される送風開口２１１ａの少なくとも何れかから侵入する水を、ハウジング２内に空気を吸気するために使用される穴２２３の少なくとも一部より排出可能である充電器１である。そのため、端子保持部材６をファン保持部材５と別に設ける必要性が無くなり、部品点数の増加を抑制することが可能となる。また、ハウジング２内に水を侵入させやすい開口となり得る端子用開口２１１ｂ若しくはファン４送風開口２１１ａの少なくとも何れかから侵入する水がハウジング２内に空気を吸気するために使用される穴２２３の少なくとも一部より排出可能であるため、吸気用の穴２２３と排水用の穴２２３を分けて設ける場合に比較し、穴２２３の数を低減することが可能となる。
【００４０】
また、本実施の形態の充電器１は、誘導路５９の下端が前記ハウジング２の底部２２１から立ち上がる仕切り壁２２４の上端よりも下側に位置する充電器１である。したがって、誘導路５９と仕切り壁２２４がオーバーラップする構成となるため、所望の区画に水を誘導することを、より適切に行うことが可能となる。
【００４１】
また、本実施の形態の充電器１は、開口の少なくとも一部から侵入しうる水を排出可能な穴２２３の少なくとも一部がハウジング２の底部２２１に設けられている充電器１である。そのため、ハウジング２内に水が残留することを抑制することが可能となる。
【００４２】
また、本実施の形態の充電器１はバッテリＢを二つ装着することが可能に構成されているが、装着箇所に対応させてファン４及びファン保持部材５が備えられている構成である。そして、送風開口２１１ａとファン排気口４１との間に部材が介在しないように隣接配置することで、風路でロスすることなく効率よく各バッテリＢを冷却することができる。また、装着箇所に対応させてファン保持部材５が備えられている構成であるため、ファン保持部材５の大きさが過大となることを抑制することが可能となる。
【００４３】
また、ファン４に設けられたファン排気口４１をハウジング２の送風開口２１１ａに隣接させることが可能となるため、冷却風の大半をバッテリＢに到達させることが可能となり、ファン４によりバッテリＢを効率的に冷却することが可能となる。また、ファン保持部材５と基板３は直接接していないため、ファン４に振動が発生したとしても基板３への影響を抑制することが可能となる。
【００４４】
また、ファン保持部材５と上側ハウジング部２１が接続固定されていないため、上側ハウジング部２１を下側ハウジング部２２とを分離した場合においても、ファン４が上側ハウジング部２１側に伴って移動することは無い。そのため、ファン４の配線を上側ハウジング部２１と関わり無く構成することが可能となり、ファン保持部材５が上側ハウジング部２１に接続固定される形態と比較し、充電器１を簡易に組立てることが可能となる。
【００４５】
また、穴２２３を底部２２１から下側壁部２２２にまたがるように設けているため、吸気においても、排水においても効率が良いものとすることが可能となる。また、ファン保持部材５の底面５１のうち最も低い位置となる排出部位５３に隣接してファン４を配置していることから、ファン４の上端の位置が高くなることを抑制可能である。また、排出部位５３と反対側においては、排出部位５３側に比してファン保持部材５と基板３との間のスペースが広くなる構成としている。したがって、ファン保持部材５の下方に比較的大きな電子部品を配置することも可能となる。
【００４６】
以上一つの実施形態を中心に本発明を説明したが、本発明は、上記実施形態のほか、その他各種の形態で実施可能なものである。例えば、充電器はバッテリを１個のみ装着可能なものとすることも可能であるし、３個以上装着可能なものとすることも可能である。また、ファン保持部材とファンは同数で無くともよく、ファン保持部材一つに対して複数のファンを保持可能とすることも可能である。
【００４７】
また、仕切り壁などを用いて区画するのは二つに区画することに限らず、三つ以上に区画することも可能である。その際、複数の区画にファン保持部材から水を垂れ流すようにすることも可能であるが、少なくとも一つは水が垂れ流されない領域を設けることが好ましく、水が垂れ流されない領域に基板や電子部品を配置することが好ましい。
【００４８】
また、ハウジングの下部を区画するのは仕切り壁だけで区画することも可能である。例えば、平面視丸形となる仕切り壁を設け、当該仕切り壁で区画された中に排水可能な穴を設けることも可能である。
【００４９】
また、平面視において、ファンの一部のみが基板とオーバーラップしている構成とすることの他、ファンが基板と完全にオーバーラップしている構成とすることも可能である。また、ハウジング内の全ての基板よりも上方にファンを配置する必要性は無く、ハウジング内の一部の基板よりも上方にファンを配置する構成であればよい。
【００５０】
また、排水可能な穴はファン保持部材から水が垂れ流される領域にのみ設ける構成とせず、その他の領域にも排水可能な穴を設けるものとすることも可能である。例えば、仕切り壁で区切られた全ての区画に排水可能な穴を設けるものとすることも可能である。
【符号の説明】
【００５１】
１        充電器
２        ハウジング
３        基板
４        ファン
５        ファン保持部材
６        端子保持部材
５２      越流防止壁
５９      誘導路
２２３    穴
２１１ａ  送風開口
２１１ｂ  端子用開口
【図１】
2015162930.tif 000003
【図２】
2015162930.tif 000004
【図３】
2015162930.tif 000005
【図４】
2015162930.tif 000006
【図５】
2015162930.tif 000007
【図６】
2015162930.tif 000008
【図７】
2015162930.tif 000009
【図８】
2015162930.tif 000010
【図９】
2015162930.tif 000011
【図１０】
2015162930.tif 000012